(57)【要約】【課題】ナイフを併せ持ち且つ使用上安全な携帯式電子装置を提供すること。【解決手段】本発明に係る携帯式電子装置は、本体と、前記本体に係合されるカバーと、刀身、弾性部材及び作動手段を含むナイフと、を備える。前記刀身、前記弾性部材及び前記作動手段は、すべて前記本体内に取り付けられる。前記弾性部材の一端は前記本体に弾性的に当止され、前記弾性部材の他端は前記刀身に弾性的に当止されて前記刀身を前記本体から露出させる弾性力を提供する。前記刀身は、前記作動手段により前記本体から露出される、又は前記本体内に収納される。【選択図】図２
2011076598.tif 000002
【特許請求の範囲】
【請求項１】
本体と、
前記本体に固定されるカバーと、
刀身、弾性部材及び作動手段を含むナイフと、
を備えてなる携帯式電子装置において、
前記刀身、前記弾性部材及び前記作動手段は、すべて前記本体内に取り付けられ、
前記弾性部材の一端は前記本体に弾性的に当止され、前記弾性部材の他端は前記刀身に弾性的に当止されて、前記刀身を前記本体から露出させる弾性力を提供し、
前記刀身は、前記作動手段により前記本体から露出される又は前記本体内に収納されることを特徴とする携帯式電子装置。
【請求項２】
前記作動手段は、滑子、少なくとも１つの位置決め手段及びワイヤを備え、
前記滑子は、前記ワイヤを介して前記位置決め手段の移動を制御して、前記刀身を前記本体から露出させる、又は前記本体内に収納させることを特徴とする請求項１の記載の携帯式電子装置。
【請求項３】
前記位置決め手段は、位置決め部材、スプリング及び当止部材を含み、
前記本体には、位置決め孔が設けられ、前記スプリングと前記当止部材とは前記位置決め孔内に順次に作動可能に収納され、
前記スプリングの一端は前記当止部材に弾性的に当止され、前記スプリングの他端は前記位置決め部材に弾性的に当止され、
前記当止部材は前記スプリングの弾性力により前記刀身に当止され、前記ワイヤは前記滑子及び前記当止部材に連結されることを特徴とする請求項２に記載の携帯式電子装置。
【請求項４】
前記本体には、中空部及び取付側板を有する刀筒が装着され、前記取付側板には、１つの取付部及び前記位置決め部材の数量に適応する組立部が設けられ、
前記取付部は前記中空部に連通するスライド溝を有し、前記滑子は前記スライド溝内にスライド可能に設置され、且つ前記ワイヤを介して前記位置決め部材を引っ張って、前記刀身を前記中空部内に収納させることを特徴とする請求項２に記載の携帯式電子装置。
【請求項５】
前記取付部は、取付凹所、前記取付凹所の底壁に設けられる取付孔及び前記取付凹所の側壁に設けられる係止スロットを含み、
前記位置決め手段は、連結アーム及び係止アームを有する保護蓋をさらに含み、
前記連結アーム及び前記係止アームをそれぞれ前記取付孔及び前記取付凹所に係止することにより、前記保護蓋を前記取付部の取付凹所に回転可能に装着することを特徴とする請求項４に記載の携帯式電子装置。
【請求項６】
前記組立部は、組立凹所及び前記組立凹所の底壁に設けられるガイド孔をさらに含み、前記位置決め部材は、基板及び前記基板に凸設される中空柱を含み、前記中空柱は前記組立部のガイド孔に係合されることを特徴とする請求項４に記載の携帯式電子装置。
【請求項７】
本体と、
前記本体に係合されるカバーと、
刀身、弾性部材、作動手段及び刀筒を含むナイフと、
を備えてなる携帯式電子装置において、
前記刀身、前記弾性部材及び前記作動手段はすべて前記刀筒に収納され、前記刀筒は前記本体に取り付けられて固定され、
前記弾性部材の一端は前記刀筒に弾性的に当止され、前記弾性部材の他端は前記刀身に弾性的に当止されて前記刀身を前記本体から露出させる弾性力を提供し、
前記刀身は前記作動手段により前記本体から露出される、又は前記刀筒内に収納されることを特徴とする携帯式電子装置。
【発明の詳細な説明】
【技術分野】
【０００１】
本発明は、携帯式電子装置に関し、特にナイフを有する携帯式電子装置に関するものである。
【背景技術】
【０００２】
現在、携帯式電子装置の機能は益々多様化し、通話機能ばかりでなく、データの格納、ゲーム、ネットサーフィン、万能ナイフなどの機能を持つ携帯式電子装置が開発された。
【発明の概要】
【発明が解決しようとする課題】
【０００３】
既存の万能ナイフを有する携帯電話において、前記万能ナイフは複数のナイフが枢着される回転軸を含み、前記回転軸を携帯電話の本体に設けられた凹所の内壁に係止することにより、前記万能ナイフを前記携帯電話の側面において回転可能に収納できる。しかし、前記万能ナイフは、前記携帯電話の凹所から回転して出易く、安全上の弊害が存在する。
【０００４】
そこで、本発明は以上の問題点に鑑みてなされたものであり、ナイフを併せ持ち且つ安全に使用できる携帯式電子装置を提供することを目的とする。
【課題を解決するための手段】
【０００５】
前記問題を解決するために、本発明に係る携帯式電子装置は、本体と、前記本体に固定されるカバーと、刀身、弾性部材及び作動手段を含むナイフと、を備える。前記刀身、前記弾性部材及び前記作動手段は、すべて前記本体内に取り付けられる。前記弾性部材の一端は前記本体に弾性的に当止され、前記弾性部材の他端は前記刀身に弾性的に当止されて前記刀身を前記本体から露出させる弾性力を提供する。前記刀身は、前記作動手段により前記本体から露出される、又は前記本体内に収納される。
【０００６】
また、本発明に係る携帯式電子装置は、本体と、前記本体に係合されるカバーと、刀身、弾性部材、作動手段及び刀筒を含むナイフと、を備える。前記刀身、前記弾性部材及び前記作動手段はすべて前記刀筒に収納され、前記刀筒は前記本体に取り付けられて固定される。前記弾性部材の一端は前記刀筒に弾性的に当止され、前記弾性部材の他端は前記刀身に弾性的に当止されて前記刀身を前記本体から露出させる弾性力を提供する。前記刀身は、前記作動手段により前記本体から露出される、又は前記刀筒内に収納される。
【発明の効果】
【０００７】
従来の技術に比べて、本発明において、作動手段を介して万能ナイフを携帯式電子装置の本体内に収納し、且つ当止部材を介して前記ナイフが前記本体から滑り出すことを防止するので、使用する時に安全上の問題がない。
【図面の簡単な説明】
【０００８】
【図１】本発明の実施形態に係る携帯式電子装置の立体図である。
【図２】図１に示す携帯式電子装置の立体分解図である。
【図３】図２に示す携帯式電子装置のナイフの立体分解図である。
【図４】図３に示すナイフの別の視点からの立体分解図である。
【図５】図３に示すナイフの取付部の立体断面図である。
【図６】図１に示す携帯式電子装置の断面図である。
【図７】図６に示す携帯式電子装置のナイフが滑り出された状態での断面図である。
【発明を実施するための形態】
【０００９】
本発明の実施形態に係る携帯式電子装置は、携帯電話、個人用携帯情報端末（ＰＤＡ）などであることができる。図１に示されたように、前記携帯式電子装置１００は、ハウジング１０及び前記ハウジング１０内に装着されるナイフ３０を備える。前記ハウジング１０は、本体１３及び前記本体１３に係合されるカバー１１から構成される。
【００１０】
図２に示されたように、前記カバー１１には、表示モジュールを装着するための表示エリア１１１及び押しボタンを装着するためのキーボードエリア１１３が配置されている。前記本体１３は、対向して設置される２つの側壁１３１及びそれぞれ２つの前記側壁１３１にその両端で直交する２つの端壁１３３を含む。２つの前記側壁１３１と２つの前記端壁１３３とによって囲まれる収納部１３７が形成される。前記収納部１３７の内部には、２つの前記側壁１３１及び１つの前記端壁１３３に当接される仕切り板１３５が設けられている。前記本体１３の右下方には、前記端壁１３３及び前記側壁１３１の一部分を連続して貫通する開口１３９が設けられ、前記開口１３９は前記収納部１３７に連通する。
【００１１】
図３及び図４に示されたように、前記ナイフ３０は、刀身３１、弾性部材３３、作動手段３５及び刀筒３７を含む。前記刀身３１、前記弾性部材３３及び前記作動手段３５は、すべて前記刀筒３７内に取り付けられる。前記弾性部材３３及び前記作動手段３５により、前記刀身３１を前記本体１３から露出させる、又は前記本体１３に収納させる。
【００１２】
前記刀身３１は、刃部３１１及び基端部３１３を含む。前記基端部３１３の一端が前記刀身３１から突出して突出部３１５を形成する。
【００１３】
前記作動手段３５は、滑子３５１、２つの位置決め手段３５３、ワイヤ３５５及び保護蓋３５７を含む。前記滑子３５１は、前記ワイヤ３５５に固定されて前記位置決め手段３５３を制御する。各々の位置決め手段３５３は、位置決め部材３５２、スプリング３５４及び当止部材３５６を含む。前記位置決め部材３５２は、基板３５２１及び前記基板３５２１に直交して設けられる中空柱３５２３を含む。前記基板３５２１の前記中空柱３５２３に対向する表面には、前記ワイヤ３５５を通過させる糸孔３５２５が設けられる。
【００１４】
前記当止部材３５６は略柱状体であり、その中央部のサイズがその両端のサイズより大きい。前記スプリング３５４は、前記当止部材３５６を前記刀身３１の突出部３１５に当止させる弾性復元力を提供する。前記ワイヤ３５５は、鋼線からなり、前記滑子３５１及び前記当止部材３５６に固定されて、且つ前記滑子３５１により前記当止部材３５６の移動を制御する。前記保護蓋３５７は、主体板３５７１と、前記主体板３５７１の両端にそれぞれ設けられ且つすべて弾性材料からなる連結アーム３５７３及び係止アーム３５７５と、を含む。前記係止アーム３５７５は、略「Ｖ」字型を呈し、その自由端にはフックが設けられる。
【００１５】
図５を参照すると、前記刀筒３７は、略矩形を呈し、その内部には前記刀身３１を収納するための中空部３７１が形成され、前記刀筒３７の一端には、開口部３７３が形成される。前記刀筒３７は、取付側板３７５を備え、前記取付側板３７５の中央部には、前記中空部３７１に向って凹む取付部３７７が設けられる。
【００１６】
前記取付部３７７は、取付凹所３７７１と、前記取付凹所３７７１の底壁に互いに離間して設けられる取付孔３７７３及びスライド溝３７７５と、前記取付凹所３７７１の側壁に設けられる係止スロット３７７７と、を含む。前記取付孔３７７３及び前記スライド溝３７７５は、すべて前記中空部３７１に連通される。前記保護蓋３５７の連結アーム３５７３を前記取付孔３７７３内に係止することにより、前記保護蓋３５７を前記刀筒３７に取り付ける。前記滑子３５１は、前記スライド溝３７７５に沿って前記刀筒３７の側面にスライド可能に設置される。前記保護蓋３５７の係止アーム３５７５は、前記係止スロット３７７７内に収納される。
【００１７】
前記取付側板３７５の内表面における前記取付部３７７の両側それぞれには、前記中空部３７１に向って延伸する中空の第一支持柱３７５１及び中空の第二支持柱３７５３が設けられる。前記第二支持柱３７５３は、前記刀筒３７の開口部３７３により近い。前記取付側板３７５の外表面における前記取付部３７７の両側それぞれには、前記中空部へ凹んで形成される第一組立凹所３７６１及び第二組立凹所３７８１が設けられる。
【００１８】
前記第一組立凹所３７６１の底壁には、第一位置決め孔３７６３及び第一位置決め孔３７６３に隣接する第一ガイド孔３７６５が設けられる。前記第二組立凹所３７８１の底壁には、第二位置決め孔３７８３及び前記第二位置決め孔３７８３に隣接する第二ガイド孔３７８５が設けられる。前記第一位置決め孔３７６３は前記第一支持柱３７５１を介して前記中空部３７１に貫通し、前記第二位置決め孔３７８３は前記第二支持柱３７５３を介して前記中空部３７１に貫通する。前記第一支持柱３７５１、前記第一組立凹所３７６１、前記第一位置決め孔３７６３及び前記第一ガイド孔３７６５が一緒に第一組立部３７６を構成する。前記第二支持柱３７５３、前記第二組立凹所３７８１、前記第二位置決め孔３７８３及び前記第二ガイド孔３７８５が一緒に第二組立部３７８を構成する。
【００１９】
図３、図５及び図６に示されたように、前記ナイフ３０を組み立てる場合に、まず、前記弾性部材３３及び前記刀身３１を前記刀筒３７の中空部３７１に順次に装着する。ついで、前記滑子３５１を前記ワイヤ３５５の中央部に固定してから、前記ワイヤ３５５の一端を、前記第一組立部３７６の第一ガイド孔３７６５、１つの前記位置決め部材３５２の中空柱３５２３、前記糸孔３５２５、前記第一支持柱３７５１及び前記スプリング３５４を順次に貫いてから１つの前記当止部材３５６に固定すると共に、前記ワイヤ３５５の他端を、前記第二組立部３７８の第二ガイド孔３７８５、もう１つの前記位置決め部材３５２の中空柱３５２３、前記糸孔３５２５、前記第二支持柱３７５３、もう１つの前記スプリング３５４を順次に貫いてからもう１つの前記当止部材３５６に固定する。
【００２０】
次に、２つの前記スプリング３５４及び２つの前記当止部材３５６をそれぞれ前記第一支持柱３７５１及び前記第二支持柱３７５３内に設置すると共に、前記当止部材３５６を前記中空部３７１内に突出させる。次に、２つの前記位置決め部材３５２の基板３５２１をそれぞれ前記第一組立部３７６の第一組立凹所３７６１及び前記第二組立部３７８の第二組立凹所３７８１内に設置して、前記スプリング３５４の一端を前記当止部材３５６に弾性的に当止させ、前記スプリング３５４の他端を前記位置決め部材３５２の基板３５２１に弾性的当止させる。ついで、前記位置決め部材３５２を前記取付側板３７５に固定する。
【００２１】
次に、前記滑子３５１を前記取付部３７７のスライド溝３７７５内に設置してから、前記開口部３７３に向って前記滑子３５１をスライドすると、前記第一組立部３７６に取り付けられた当止部材３５６は、前記ワイヤ３５５に駆動されて前記スプリング３５４を圧縮しながら前記取付側板３７５に向って移動するので、前記刀身３１を前記刀筒３７内に押し込む。前記滑子３５１を放すと、前記当止部材３５６は前記スプリング３５４に駆動されて前記刀身３１の突出部３１５に当止されて、前記刀身３１を前記中空部３７１内に収納する。
【００２２】
最後に、前記保護蓋３５７の連結アーム３５７３を前記取付部３７７の取付孔３７７３内に貫かせてから、前記主体板３５７１を回転して、前記保護蓋３５７を前記取付凹所３７７１に収納させる。ついで、前記保護蓋３５７の係止アーム３５７５を前記取付凹所３７７１の係止スロット３７７７に係止する。これで、前記ナイフ３０が一体に組み立てられる。
【００２３】
前記ナイフ３０を前記携帯式電子装置１００に装着する場合、前記刀筒３７を前記携帯電子装置１００の収納部１３７内に収納して前記仕切り板１３５上に固定する。詳しく説明すると、前記刀筒３７を前記開口１３９に挿入して、前記刀筒３７の取付側板３７５を前記携帯式電子装置１００の側壁１３１と同じ表面に位置させると共に、前記刀筒３７の開口部３７３を前記端壁１３３と同じ表面に位置させる。本実施形態において、熱熔融の方式で前記刀筒３７を前記本体１３に固定する。ついで、前記カバー１１を前記本体１３に取り付けて固定して、前記携帯式電子装置１００の組立が完成する。
【００２４】
図７を参照すると、前記携帯式電子装置１００のナイフを使用する場合、まず、前記ナイフ３０の保護蓋３５７を回転して前記滑子３５１を露出させる。前記開口部３７３の方向に前記滑子３５１をスライドさせると、前記滑子３５１に固定される前記ワイヤ３５５は前記第一組立部３７６に取り付けられた当止部材３５６を引っ張るため、前記当止部材３５６は前記スプリング３５４をさらに圧縮するように前記取付側板３７５に向かって移動する。
【００２５】
引き続き前記滑子３５１をスライドして、前記第一組立部３７６上の当止部材３５６と前記刀身３１上の突出部３１５とを互いに離脱させると、前記刀身３１は、前記弾性部材３３の弾性力により前記刀筒３７の開口部３７３から押し出される。前記刀身３１の移動過程において、前記第二組立部３７８に取り付けられた当止部材３５６は前記刀身３１の移動を制限して、前記刀身３１が前記刀筒３７から抜け出ることを防止する。前記滑子３５１を放すと、前記第一組立部３７６に取り付けられた当止部材３５６は前記スプリング３５４の弾性力により元の位置に戻る。
【００２６】
前記刀身３１を前記刀筒３７内に収納する場合、前記開口部３７３から離れる方向に前記滑子３５１をスライドすると、前記第一組立部３７６上に取り付けられた当止部材３５６は前記ワイヤ３５５に引っ張られて前記スプリング３５４を圧縮すると共に、前記取付側板３７５に向かって移動するので、前記刀身３１を前記刀筒３７内に押し込める。前記滑子３５１を放すと、前記当止部材３５６は前記スプリング３５４により前記刀身３１の突出部３１５に当止して、前記刀身３１を前記中空部３７１内に保持する。
【００２７】
また、変更例として、前記ナイフ３０の刀筒３７を省略して、前記携帯式電子装置１００の本体１３に前記刀筒３７と略同等の構造を直接に形成して、前記刀身３１、前記弾性部材３３及び前記作動手段３５を前記本体１３に取り付けてもよい。
【００２８】
また、本発明の携帯式電子装置１００において、前記２つの位置決め手段３５３はそれぞれ前記第一組立部３７６又は前記第二組立部３７８に取り付けられて、外力が無い時に、前記刀身３１が前記本体１３から滑り出すことを防止する。しかし、前記位置決め手段３５３の数量は２つに限定されるものではなく、１つだけ設置してもよく、従って前記取付部の数量も１つでよい。
【００２９】
また、本発明の携帯式電子装置１００において、前記刀身３１の数量は１つに限定されるものではなく、必要に応じて増減できる。
【００３０】
また、本発明の携帯式電子装置１００において、前記ナイフ３０の保護蓋３５７を省略してもよい。
【００３１】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのはいうまでもない。
【符号の説明】
【００３２】
１０        ハウジング
１１        カバー
１３        本体
３０        ナイフ
３１        刀身
３３        弾性部材
３５        作動手段
３７        刀筒
１００      携帯式電子装置
１１１      表示エリア
１１３      キーボードエリア
１３１      側壁
１３３      端壁
１３５      仕切り板
１３７      収納部
１３９      開口
３１１      刃部
３１３      基端部
３１５      突出部
３５１      滑子
３５２      位置決め部材
３５３      位置決め手段
３５４      スプリング
３５５      ワイヤ
３５６      当止部材
３５７      保護蓋
３７３      開口部
３７５      取付側板
３７６      第一組立部
３７７      取付部
３７８      第二組立部
３５２１    基板
３５２３    中空柱
３５２５    糸孔
３５７１    主体板
３５７３    連結アーム
３５７５    係止アーム
３７５１    第一支持柱
３７５３    第二支持柱
３７６１    第一組立凹所
３７６３    第一位置決め孔
３７６５    第一ガイド孔
３７７１    取付凹所
３７７３    取付孔
３７７５    スライド溝
３７７７    係止スロット
３７８１    第二組立凹所
３７８３    第二位置決め孔
３７８５    第二ガイド孔
【図１】
2011076598.tif 000003
【図２】
2011076598.tif 000004
【図３】
2011076598.tif 000005
【図４】
2011076598.tif 000006
【図５】
2011076598.tif 000007
【図６】
2011076598.tif 000008
【図７】
2011076598.tif 000009